(57)【要約】【課題】１／ｆゆらぎによる自然に近い風を送風するうえで、複雑な演算を行う回路や大容量のメモリーの必要を無くし、理想的な送風量と実際の送風量のずれを生じ難くする。【解決手段】空気調和機はモーターにより回転し、吹出口から空気を送出するファンと、ファンの回転数の１／ｆゆらぎの基本パターンを示すゆらぎデータを記憶する記憶部と、基本パターンに基づき第１送風パターンでの１周期内の各ステップでのファンの回転数を求めるとともに、基本パターンに基づき第１送風パターンよりもファンの回転数の振幅を小さくした第２送風パターンでの１周期内の各ステップでのファンの回転数を求める演算部と、を含み、ファンは演算部が求めた回転数に基づき回転し、演算部は第１送風パターンと第１送風パターンの送風の間に第２送風パターンが入るように各ステップでのファンの回転数を求める。【選択図】図８
2014066485.tif 000002
【特許請求の範囲】
【請求項１】
モーターにより回転し、吹出口から空気を送出するファンと、
１／ｆゆらぎで前記ファンの送風量がゆらぐように前記ファンの回転数のゆらぎの基本パターンを示すゆらぎデータを記憶する記憶部と、
予め定められた前記ファンの回転数の第１上限値と第１下限値の範囲で前記基本パターンに基づき前記ファンの回転数を変化させる第１送風パターンでの１周期内の各ステップでの前記ファンの回転数を求めるとともに、前記第１送風パターンよりも前記ファンの回転数の振幅を小さくした第２上限値と第２下限値間の範囲で前記基本パターンに基づき前記ファンの回転数を変化させる第２送風パターンでの１周期内の各ステップでの前記ファンの回転数を求める演算部と、
ゆらぎモードで運転することを受け付ける入力受付部と、を含み、
前記ゆらぎモードで運転するとき、
前記ファンは前記演算部が求めた回転数に基づき回転し、
前記演算部は前記第１送風パターンと前記第１送風パターンの送風の間に前記第２送風パターンが入るように各ステップでの前記ファンの回転数を求めることを特徴とする空気調和機。
【請求項２】
前記ゆらぎモードで送風を行うときの前記ファンの回転数の基準となる基準回転数が予め定められ、
前記記憶部は１／ｆゆらぎの前記基本パターンに対応した１周期内の各ステップでの送風の強度を示す値を格納したデータテーブルを前記ゆらぎデータとして記憶し、
前記演算部は前記第１送風パターンで送風を行うとき、前記ゆらぎデータに基づき、現ステップでの理想的な回転数と前記基準回転数との差を補正値として求め、前記基準回転数と前記補正値を加算して各ステップでの前記ファンの回転数を求め、前記第２送風パターンで送風を行うとき、現在のステップに対応する前記第１送風パターンでのステップの補正値を、前記第１送風パターンでの回転数の振幅に対する前記第２送風パターンでの回転数の振幅の比率に応じて調整し、調整した前記補正値と前記基準回転数を加算して前記第２送風パターンでの各ステップでの前記ファンの回転数を求めることを特徴する請求項１記載の空気調和機。
【請求項３】
前記ゆらぎモードの開始から予め定められた安定時間までの間、前記ファンは予め定められた一定回転数となるように回転し、前記安定時間の経過後、前記第１送風パターンと前記第２送風パターンでの送風を行うことを特徴とする請求項１又は２に記載の空気調和機。
【請求項４】
前記ゆらぎモードで運転するとき、前記ファンの回転数の上限値は予め定められた騒音レベルを下回るように定められることを特徴とする請求項１〜３のいずれか１項に記載の空気調和機
【請求項５】
前記入力受付部は前記第１送風パターン及び前記第２送風パターンの前記ゆらぎモードでの１周期内の１ステップあたりの時間を設定する入力を受け付け、
前記ゆらぎモードで運転を行うとき、設定された１ステップあたりの時間ごとに回転数を変化させて送風を行うことを特徴とする請求項１〜４のいずれか１項に記載の空気調和機。
【発明の詳細な説明】
【技術分野】
【０００１】
本発明は送風量がゆらぐように部屋に空気を送風する空気調和機に関する。
【背景技術】
【０００２】
空気調和機は空気を室内に送風する。風、音、においなど、ゆらぎは人の生活の様々な場所に見いだされる。そして、１／ｆゆらぎで送風を変化させると、自然の風に近づくことが知られている。自然の風に近づくため、一定の送風量で送風するよりも心地よさを与えられる場合がある、同じ強さの風が当たり続けるのにくらべ不快感を弱められる場合がある、などのメリットがある。そこで、空気調和機には、送風量に強弱をつけたり、ルーバーの動きに緩急を取り入れたりして、リズムをつけて送風を行うものがある。このような送風にゆらぎを持たせる空調システムの一例が特許文献１に記載されている。
【０００３】
具体的に特許文献１には、タイミング信号を発生する制御部と、この制御部からタイミング信号が加えられカオス軌道の出発点と頂点の値を設定する初期設定部と、前記制御部からタイミング信号が加えられ前記初期設定部の設定値に基づいてカオス軌道を起こすカオス振動子部と、このカオス振動子部から送られてきた複数のデータを離散値として１／２回積分した１／ｆ軌道の時系列データを生成する１／ｆゆらぎ発生部と、この１／ｆゆらぎ発生部から送られてきたデジタルデータをアナログ信号に変換するＤ（デジタル）／Ａ（アナログ）変換部と、を具備した１／ｆゆらぎ制御器を含む１／ｆゆらぎ空調システムが記載されている。この構成により、カオス技術を用いて１／ｆゆらぎを獲得し、且つハードウェア化して、データの測定という手間を省こうとする（特許文献１：請求項１、２、段落０００４等参照）。
【先行技術文献】
【特許文献】
【０００４】
【特許文献１】特開平７−２６０２４０号公報
【発明の概要】
【発明が解決しようとする課題】
【０００５】
従来、１／ｆゆらぎに基づいて送風量を変化させるとき、より自然な風に近づけるため、空気調和機内の回路で複雑な演算を行っている。又、１／ｆゆらぎを実現するため、多数の送風量の変化パターンを用意し、それぞれの変化パターンのデータを空気調和機の内部メモリーに記憶させる場合もある。又、周囲環境（風の状態など）を検知するためのセンサーを設け、センサーに基づき周囲環境を計測し、計測結果を考慮する演算を行ったうえで１／ｆゆらぎの送風を行う場合もある。このように、自然な風のように１／ｆゆらぎの送風を行うには、複雑な演算や大容量のメモリーが必要となる場合があるという問題がある。例えば、高速な演算回路や大容量のメモリーがない扇風機では、風量の強→弱を繰り返す程度の送風モードしか搭載されない。
【０００６】
又、１／ｆゆらぎに基づき周期的に送風量を変化させるとき、送風量の変化が急になることがある（急になる時間帯が出てくる）。例えば、１／ｆゆらぎの送風パターンの周期と周期との切り替わりのあたりで送風量の変化が急となることがある（例えば、ゆらぎでの最小の送風量から最大の送風量までの変化）。送風量の変化が急すぎると、ファンを回転させるモーターが送風量変化に追従できず不自然な送風になることや、実際の送風量と理想の送風量からのずれが大きくなることや、オーバーシュートにより設定された上限を超えてモーターを回転させてしまい騒音が大きくなることがあるという問題がある。言い換えると、従来、高追従性と低騒音を兼ね備えた高コストなモーターを用いなければ、１／ｆゆらぎに基づく快適な送風を実現することが難しい。
【０００７】
ここで、特許文献１記載の空調システムを見ると、カオス理論を用いた専用の比較的複雑な回路（カオス軌道を起こすカオス振動子部や、１／ｆゆらぎ発生部や、一般に演算が複雑な積分演算を行う回路など。）が必要である。又、１／ｆゆらぎの送風パターンで送風量の変化が急すぎると、モーターが送風量の変化に追従できない場合がある点についての言及はない。そのため、特許文献１には、１／ｆゆらぎによる送風を行うときの上記の問題点を解決できる記載、示唆はない。
【０００８】
本発明は１／ｆゆらぎによる自然に近い快適な風を送風するうえで、複雑な演算を行う回路（過剰な演算負荷を処理する回路）や大容量のメモリーの必要を無くし、理想的なファンの送風量と実際のファンの送風量のずれを生じ難くすることを課題とする。
【課題を解決するための手段】
【０００９】
上記目的を達成するために本発明に係る空気調和機はモーターにより回転し、吹出口から空気を送出するファンと、１／ｆゆらぎで前記ファンの送風量がゆらぐように前記ファンの回転数のゆらぎの基本パターンを示すゆらぎデータを記憶する記憶部と、予め定められた前記ファンの回転数の第１上限値と第１下限値の範囲で前記基本パターンに基づき前記ファンの回転数を変化させる第１送風パターンでの１周期内の各ステップでの前記ファンの回転数を求めるとともに、前記第１送風パターンよりも前記ファンの回転数の振幅を小さくした第２上限値と第２下限値間の範囲で前記基本パターンに基づき前記ファンの回転数を変化させる第２送風パターンでの１周期内の各ステップでの前記ファンの回転数を求める演算部と、ゆらぎモードで運転することを受け付ける入力受付部と、を含み、前記ゆらぎモードで運転するとき、前記ファンは前記演算部が求めた回転数に基づき回転し、前記演算部は前記第１送風パターンと前記第１送風パターンの送風の間に前記第２送風パターンが入るように各ステップでの前記ファンの回転数を求めることとした。
【００１０】
また、上記の空気調和機において、前記ゆらぎモードで送風を行うときの前記ファンの回転数の基準となる基準回転数が予め定められ、前記記憶部は１／ｆゆらぎの前記基本パターンに対応した１周期内の各ステップでの送風の強度を示す値を格納したデータテーブルを前記ゆらぎデータとして記憶し、前記演算部は前記第１送風パターンで送風を行うとき、前記ゆらぎデータに基づき、現ステップでの理想的な回転数と前記基準回転数との差を補正値として求め、前記基準回転数と前記補正値を加算して各ステップでの前記ファンの回転数を求め、前記第２送風パターンで送風を行うとき、現在のステップに対応する前記第１送風パターンでのステップの補正値を、前記第１送風パターンでの回転数の振幅に対する前記第２送風パターンでの回転数の振幅の比率に応じて調整し、調整した前記補正値と前記基準回転数を加算して前記第２送風パターンでの各ステップでの前記ファンの回転数を求めるようにしてもよい。
【００１１】
また、上記の空気調和機において、前記ゆらぎモードの開始から予め定められた安定時間までの間、前記ファンは予め定められた一定回転数となるように回転し、前記安定時間の経過後、前記第１送風パターンと前記第２送風パターンでの送風を行うようにしてもよい。
【００１２】
また、上記の空気調和機において、前記ゆらぎモードで運転するとき、前記ファンの回転数の上限値は予め定められた騒音レベルを下回るように定めてもよい。
【００１３】
また、上記の空気調和機において、前記入力受付部は前記第１送風パターン及び前記第２送風パターンの前記ゆらぎモードでの１周期内の１ステップあたりの時間を設定する入力を受け付け、前記ゆらぎモードで運転を行うとき、設定された１ステップあたりの時間ごとに回転数を変化させて送風を行うようにしてもよい。
【００１４】
上記の空気調和機において、前記入力受付部は複数段階で用意された前記ゆらぎモードでの送風の強度レベルのなかから１つを選択する入力を受け付け、前記演算部は送風の強度レベルが高いほど、前記第１送風パターンでのファン回転数の下限値が大きくなるように、各ステップでの前記ファンの回転数を求めてもよい。
【００１５】
また、上記の空気調和機において、前記基本パターンは振幅が周波数に反比例する複数の正弦波を合成した波形、又は、前記ファンの回転数が周波数に反比例する複数の余弦波を合成した波形としてもよい。
【００１６】
また、上記の空気調和機において  前記吹出口から吹き出される空気の熱交換を行うための熱交換器を含み、前記ゆらぎモードで運転するとき、前記熱交換器は熱交換を行わないようにしてもよい。
【００１７】
また、上記の空気調和機において、予め定められた早朝時間帯のとき、前記ファンは前記ゆらぎモードでは送風を行わないようにしてもよい。
【００１８】
この構成によれば、予め定められた早朝時間帯のとき、ファンはゆらぎモードでは送風を行わない。ゆらぎモードでは、送風量（ファンの回転数）を周期的に変化させるので、ファンやファンを回転させるモーターなどの動作音が変化するが、早朝では、ゆらぎモードで運転しないので、空気調和機の動作音の変化によって使用者の眠りを妨げることがない。
【発明の効果】
【００１９】
本発明によれば、従来のように、複雑な演算を行う回路（過剰な演算負荷を処理する回路）や大容量のメモリーを要することなく、１／ｆゆらぎによる自然に近く快適な風を送風することができる。又、１／ｆゆらぎに基づき送風量（ファンの回転数）を周期的に変化させるうえで、理想的なファンの送風量と実際のファンの送風量のずれが生じす、理想的に送風量を変化させることができる。
【図面の簡単な説明】
【００２０】
【図１】空気調和機の一例を示す模式図であり、（ａ）は室内部の一例を示し、（ｂ）は室外部の一例を示す。
【図２】空気調和機のハードウェア構成の一例を示すブロック図である。
【図３】リモートコントロール装置の一例を示し、（ａ）はカバーを閉じた状態、（ｂ）はカバーを開いた状態の一例を示す。
【図４】１／ｆゆらぎの基本パターンを説明するための説明図である。
【図５】基本パターンに基づいた室内ファンの回転数のゆらぎの一例を示す説明図である。
【図６】ゆらぎデータ（データテーブル）の一例を示す。
【図７】同じ送風パターンを周期的に繰り返す場合の室内ファンの回転数の推移の一例を示すグラフである。
【図８】第１送風パターンと第１送風パターンよりも振幅が小さい第２送風パターンをおりまぜて送風を行う場合の室内ファンの回転数の推移の一例を示すグラフである。
【図９】ゆらぎモードでの送風量制御の流れの一例を示すフローチャートである。
【図１０】第１送風パターンと第２送風パターンの対比させた説明図である。
【図１１】第２の実施形態でのゆらぎモードでの送風の強度レベルに応じた室内ファンの回転数のゆらぎの一例を示す説明図である。
【発明を実施するための形態】
【００２１】
以下、図１〜図１１に基づき、本発明の実施形態を説明する。具体的に、図１〜図１０を用いて第１の実施形態を説明する。又、図１１を用いて第２の実施形態を説明する。
【００２２】
（第１の実施形態）
まず、図１を用いて第１の実施形態に係る空気調和機１の概要を説明する。図１は空気調和機１の一例を示す模式図であり、（ａ）は室内部２の一例を示し、（ｂ）は室外部３の一例を示す。
【００２３】
図１（ａ）に示すように、本実施形態の空気調和機１は室内部２（室内機）を含む。室内部２は室内の空気を吸入し、熱交換後の空気を室内に吹き出す。例えば、室内部２の空気の吹出口２１は室内部２の前面下方に設けられる。
【００２４】
また、図１（ｂ）に示すように本実施形態の空気調和機１は室外部３（室外機）を含む。室外部３は冷媒の室内部２とのやり取りや、室外気との熱交換を行う。尚、本実施形態に係る空気調和機１は室外部３を有さず、室内部２に相当する部分だけを含むものでもよい。
【００２５】
（空気調和機１のハードウェア構成）
次に、図２を用いて第１の実施形態に係る空気調和機１のハードウェア構成の一例を説明する。図２は空気調和機１のハードウェア構成の一例を示すブロック図である。
【００２６】
上述したように、本実施形態の空気調和機１は室内部２と室外部３を含む。そこで、室内部２から説明する。リモートコントロール装置４１からの動作や設定指示を示す信号を受信する受信部４２が室内部２に設けられる。赤外線や無線により信号を発信する発信部がリモートコントロール装置４１に設けられ、受信部４２は赤外線や電波を受信する。これにより、使用者はリモートコントロール装置４１で空気調和機１の動作を操作することができる（リモートコントロール装置４１の詳細は後述）。
【００２７】
また、リモートコントロール装置４１に依らずに動作や設定指示を行えるように、パネル状の操作部４３が室内部２に設けられても良い。従って、リモートコントロール装置４１と受信部４２や操作部４３が空気調和機１の設定を受け付ける入力受付部４として機能する。例えば、入力受付部４はゆらぎモードでの運転を行う旨の入力を受け付ける。また、本実施形態の空気調和機１は空気調和機１の運転状態などの各種情報を表示ランプや表示パネルなどにより表示する表示部２２を備える。
【００２８】
また、室内部２は空気調和機１の動作を制御する制御部５（演算部に相当）を含む。例えば、制御部５は演算処理装置としてのＣＰＵ５１や、空気調和機１の制御プログラムや制御用データを記憶する記憶部６（ＲＡＭやＲＯＭのような揮発性と不揮発性の記憶装置の組み合わせ）や、時間を計時する計時部５２を含む。
【００２９】
室内ファン７（ファンに相当）と室内ファン７を回転させて熱交換された空気を吹出口２１から室内に吹き出させる室内ファンモーター７ｍ（モーターに相当）が室内部２に配される。例えば、室内ファンモーター７ｍはＤＣモーターである。制御部５は室内ファンモーター７ｍに印加する電圧の大きさや、電圧のデューティ比や、モーターに流す電流値を制御して、室内ファンモーター７ｍの駆動（回転）を制御する。具体的に、制御部５は室内ファンモーター７ｍのＯＮ／ＯＦＦや、室内ファンモーター７ｍの回転速度を制御する。尚、本実施形態では制御部５が室内ファンモーター７ｍの動作を制御する例を説明するが、制御部５外に室内ファンモーター７ｍの駆動回路を別途設け、制御部５が駆動回路に指示を与え、制御部５が間接的に室内ファンモーター７ｍの動作を制御してもよい。
【００３０】
また、室内ファン７によって送風される空気の上下方向における吹出方向を調節するためのルーバー２３が室内部２に設けられる。また、ルーバー２３を動かして上下方向で送風方向をスイングさせるルーバーモーター２３ｍが室内部２に設けられる。制御部５はルーバーモーター２３ｍの動作を制御することにより送風範囲を制御することができる。
【００３１】
また、室内ファン７によって送風される空気の左右方向における吹出方向を調節するため、左右ルーバー２４が室内部２に設けられる。左右ルーバー２４として吹出口２１近傍に垂直方向に伸びる複数枚の板が左右方向に並べられる。また、左右ルーバー２４を動かして左右方向での送風方向を調節する左右ルーバーモーター２４ｍが室内部２に設けられる。制御部５は左右ルーバーモーター２４ｍの動作を制御することにより送風範囲を制御することができる。
【００３２】
また、室内ファン７により室内部２内に吸い込まれた空気と熱交換する室内熱交換器２５（熱交換器に相当）が室内部２に設けられる。また、室内温度を検知するための温度検知部２６が設けられる。温度検知部２６は温度により出力値（例えば、電圧値）が異なるセンサーである。制御部５は温度検知部２６の出力電圧に基づき室内温度を認識する。例えば、温度検知部２６の出力値と温度の関係を示すテーブルが記憶部６に記憶される。そして、冷房運転や暖房運転や除湿運転のとき、制御部５は設定温度になると運転を小休止するなど、設定された温度に近づくように空気調和機１を制御する。
【００３３】
次に、室外部３を説明する。例えば、室外部３は屋外の地面上に設置される。室外部３は圧縮機３１と圧縮機３１を動作させるたるめの圧縮機駆動回路３２を含む。制御部５は圧縮機駆動回路３２に指示を与え圧縮機３１の動作を制御する。
【００３４】
そして、室外部３には室外ファン３３と室外ファンモーター３３ｍが設けられる。制御部５は室外ファンモーター３３ｍを制御し、室外部３での吸い込み、吹き出しを制御する。室外ファンモーター３３ｍは室外ファン３３を回転させて熱交換する為の空気を室外部３内に吸い込む。そして、吹き出させる。また、室外ファンモーター３３ｍの駆動により室外ファン３３が回転し、空気が室外部３に設けられる室外熱交換器３４（熱交換器に相当）に吹き付けられ、空気が室外に排出される。これにより室外部３内に吸い込まれた空気の熱交換がなされる。
【００３５】
冷凍サイクル２７を構成する四方弁３５や減圧器３６（例えば、電子膨張弁やキャピラリーチューブ）が室外部３に設けられる。制御部５は、四方弁３５を制御し、圧縮機３１が圧縮した冷媒の流れる方向を、暖房運転／冷房運転（除湿運転）に応じて切り替える。減圧器３６は、圧縮機３１が圧縮した高圧（放熱）側の冷媒と、膨張した低圧（吸熱）側の冷媒との圧力差を維持する。
【００３６】
（リモートコントロール装置４１）
次に、図３を用いて第１の実施形態に係るリモートコントロール装置４１の一例を説明する。図３はリモートコントロール装置４１の一例を示し、（ａ）はカバー４１１を閉じた状態、図３（ｂ）はカバー４１１を開いた状態の一例を示す。
【００３７】
リモートコントロール装置４１は設定内容などを示す表示器４１０（例えば、液晶表示パネル）を正面上方に有する。そして、リモートコントロール装置４１は空気調和機１の基本的な動作指示（運転のモード指示）を行うための６つの基本ボタンを含む。具体的には、冷房で空気調和機１を運転させる時に押される冷房ボタンＢ１、暖房で空気調和機１を運転させる時に押される暖房ボタンＢ２、運転を停止する為の停止ボタンＢ３、除湿で空気調和機１を運転させる時に押される除湿ボタンＢ４、設定された温度に従って自動的に冷暖房運転を行う時に押される自動運転ボタンＢ５、１／ｆゆらぎで送風量を周期的に変化させて（１／ｆゆらぎで送風量をゆらがせて）送風を行うゆらぎモードで空気調和機１を運転させるときに押されるリズム風ボタンＢ６と備えている。又、基本ボタンの下方には、所望する温度や湿度を設定するための温度設定ボタンＢ７や湿度設定ボタンＢ８が設けられる。
【００３８】
又、図３（ｂ）に示すように、より細かな設定を行うためのボタンがカバー４１１の下方に設けられる。使用者は風向きやタイマー設定を行うとき、カバー４１１を開けて各種ボタンを露出させる。
【００３９】
（ゆらぎモードでのゆらぎの基本バターン）
次に、図４を用いて第１の実施形態に係る送風量のゆらぎの概要を説明する。図４は１／ｆゆらぎの基本パターンＰ０を説明するための説明図である。
【００４０】
１／ｆゆらぎで送風量を変化させるパターンは複数考えられるが、本実施形態では、基本パターンＰ０は振幅が周波数に反比例する複数の正弦波を合成した波形、又は、振幅が周波数に反比例する複数の余弦波を合成した波形を基本パターンＰ０として用いる。尚、以下では、正弦波を合成して基本パターンＰ０を定める例を説明するが複数の余弦波を合成して基本パターンＰ０を定めてもよい。
【００４１】
図４の上方の図には振幅を周波数に反比例させた複数の正弦波の波形を示している。最も振幅が大きい正弦波の振幅をＡとし周波数をＢとすると、次に振幅が大きい正弦波の振幅は０．５Ａで周波数は２Ｂである。その次に振幅が大きい正弦波の振幅は０．２５Ａで周波数は４Ｂである。更にその次に振幅が大きい正弦波の振幅は０．１２５Ａで周波数は８Ｂである。上述した正弦波よりも振幅が小さい正弦波は同様なので説明を省略する。
【００４２】
具体的に、本実施形態では以下の式に基づき、１／ｆゆらぎの基本パターンＰ０を求める。
【数１】
2014066485.tif 000003
【００４３】
そして、上記の式により、複数種の正弦波を合成して求めた１／ｆゆらぎの基本パターンＰ０は図４の下方の図のようになる。そして、本実施形態の空気調和機１では、ゆらぎモードでの運転のとき、この基本パターンＰ０の強度を室内ファン７の回転数（送風量）に対応させ、基本パターンＰ０に基づき１／ｆゆらぎで室内ファン７の回転数（送風量）を変化させる。そして、記憶部６は１／ｆゆらぎでファンの送風量がゆらぐようにファンの回転数のゆらぎの基本パターンＰ０を示すゆらぎデータＤ０を記憶する。
【００４４】
（基本パターンＰ０に基づくファンの回転数のゆらぎ）
次に、図５、図６を用いて、第１の実施形態に係る基本パターンＰ０に基づいたファンの回転数のゆらぎを説明する。図５は基本パターンＰ０に基づいた室内ファン７の回転数のゆらぎの一例を示す説明図である。図６はゆらぎデータＤ０（データテーブルＤ１）の一例を示す。
【００４５】
ゆらぎモードで運転（送風）を行うとき、制御部５は基本パターンＰ０に基づき（基本パターンＰ０に対応させて）、室内ファンモーター７ｍを制御して、室内ファン７の回転数を周期的に変化させる。ゆらぎモードでは室内ファン７の回転数の上限値と下限値が予め定められる。ゆらぎモードで運転するとき、室内ファン７の回転数の上限値は予め定められた騒音レベルを下回るように定められる。例えば、室内ファン７の回転数が１０００ｒｐｍあたりから騒音レベルが大きくなってくる場合、ゆらぎモードでの運転時、上限値は１０００ｒｐｍを超えない値に設定される。
【００４６】
そして、室内ファン７の回転数の上限値は基本パターンＰ０の最大値に対応し、下限値は基本パターンＰ０の最小値に対応する。従って、ゆらぎモードのとき、制御部５は室内ファンモーター７ｍを制御して、予め定められた上限値と下限値の範囲で周期的に送風量（室内ファン７の回転数）を変化させる。制御部５は予め定められた上限値と下限値の範囲に基本パターンＰ０を当てはめ、当てはめた基本パターンＰ０のラインに沿うように室内ファン７の回転数を変化させる。
【００４７】
そして、１つの基本パターンＰ０の周期（室内ファン７の回転数変化の周期、送風パターン）は複数のステップに分割される。本実施形態では、１周期は３６０のステップに分割される。尚、１周期のステップ数は３６０に限られない。
【００４８】
そして、室内ファン７の回転数変化のゆらぎの基本パターンＰ０を示すゆらぎデータＤ０は１周期中の０番目から３５９番目（計３６０ステップ。ステップ数が３６０）のそれぞれのステップでの、基本パターンＰ０に基づいた（基本パターンＰ０に応じた）送風量（室内ファン７の回転数、室内ファンモーターの回転数ともいえる）の強度を示す値を格納したデータテーブルＤ１である。
【００４９】
そして、制御部５は０→３５９の順番で（３５９番目までいくと０番目に戻り、巡回する）、ゆらぎデータＤ０に格納された値のうち現在の順番（現在のステップ数）に対応する位置に格納された値を参照して、１周期内の各ステップのファンの回転数を求める。そして、制御部５は室内ファンモーター７ｍを制御して、求めたステップの回転数に基づき、室内ファン７の回転数を変化させる。尚、ゆらぎデータＤ０に基づく各ステップでのファンの回転数を求める手法の詳細は後述する。
【００５０】
（ゆらぎモードでの送風パターンの組み合わせ）
次に、図７、図８を用いて、第１の実施形態に係るゆらぎモードでの送風パターンの組み合わせについて説明する。図７は同じ送風パターンを周期的に繰り返す場合の室内ファン７の回転数の推移の一例を示すグラフである。図８は第１送風パターンＰ１と第１送風パターンＰ１よりも振幅が小さい第２送風パターンＰ２をおりまぜて送風を行う場合の室内ファン７の回転数の推移の一例を示すグラフである。
【００５１】
図７に示すように、１／ｆゆらぎに基づいた単一の送風パターンを繰り返しても、１／ｆゆらぎに基づき、送風量を自然に近づけて変化させることはできる。しかし、基本パターンＰ０に基づき、上限値と下限値の範囲で室内ファン７の回転数を変化させると、送風パターン内で室内ファン７の回転数の変化が急になる箇所が生ずる。
【００５２】
具体的に、図７では室内ファン７の回転数の変化が急になる範囲を網掛により図示している。図７に示すように、室内ファン７の回転数の変化は送風パターンの切り替わりの前後で急になることが多い。言い換えると、前の送風パターンの終盤部分から次の送風パターンの序盤部分で室内ファン７の回転数の変化は急になりやすい。
【００５３】
室内ファン７の回転数の変化が急であると、室内ファンモーター７ｍが回転数変化に追従（対応）できず、室内ファン７の回転数が基本パターンＰ０に基づく理想的な回転数からずれてしまうことがある。又、そうすると、１／ｆゆらぎで送風量がゆれず、不安定な送風や不自然な送風となることがある。又、加速状態が続くことにより上限値を超えて室内ファン７を回転させてしまう（オーバーシュートを生じさせてしまう）場合があり、室内ファン７や室内ファンモーター７ｍから生ずる音も大きくなりえる。
【００５４】
そこで、本実施形態では、ゆらぎモードで運転するとき、制御部５は室内ファンモーター７ｍを制御して、第１送風パターンＰ１と第１送風パターンＰ１の送風の間に第１送風パターンＰ１よりも室内ファン７の回転数の振幅が小さい第２送風パターンＰ２で送風を行う。
【００５５】
具体的に、図８にしめすように、本実施形態では、制御部５は第１送風パターンＰ１と第２送風パターンＰ２を交互に繰り返す。尚、交互に各送風パターンで送風するとは限らず、複数周期分、第１送風パターンＰ１又は第２送風パターンＰ２で送風を行った後、他の送風パターンに切り替えてもよい。
【００５６】
第２送風パターンＰ２は第１送風パターンＰ１よりも回転数の変化の振幅（上限と下限の幅）が狭いので、図７にしめすように、同じ送風パターンを周期的に繰り返す場合に比べ、急に変化させるときの室内ファン７の回転数の変化幅を少なく（狭く）することができる。又、オーバーシュートを生じさせても、第１送風パターンＰ１の上限値を超えることはない。従って、理想的な室内ファン７の回転数からずれにくくなる。又、騒音も抑えることができる。
【００５７】
（ゆらぎモードでの送風量制御）
次に、図９、図１０を用いて、第１の実施形態に係るゆらぎモードでの送風量制御の流れの一例を説明する。図９はゆらぎモードでの送風量制御の流れの一例を示すフローチャートである。図１０は第１送風パターンＰ１と第２送風パターンＰ２の対比させた説明図である。
【００５８】
まず、図９のフローチャートのスタートはゆらぎモード（１／ｆゆらぎに基づき周期的に送風量を変化させる送風モード）での運転（送風）を開始する時点である。例えば、入力受付部４で空気調和機１の電源がＯＮされた後、リズム風ボタンＢ６が押されるなどにより、入力受付部４が使用者からのゆらぎモードで運転する旨の指示入力を受け付けた時点である。
【００５９】
ここで、本実施形態の空気調和機１では、ゆらぎモードの運転時、熱交換を行わない。そのため、制御部５は室内部２や室外部３を、熱交換を行わない状態とする（♯１）。言い換えると、ゆらぎモードの運転時、制御部５は室外部３を停止させ、室内熱交換器２５を停止させて熱交換を行われないようにする。そのため、ゆらぎモードでは冷房、除湿、暖房は行われない。そのため、ゆらぎモード（リズム風運転）は、寝る時や冷房などである程度、室内が快適な温湿度になった後に使用される。ゆらぎモードになるまえに（リズム風ボタンＢ６が押される前に）、冷房、除湿、暖房運転がなされていれば、制御部５はこれらの運転で行っていた熱交換を停止させる。
【００６０】
尚、室内部２内の空気の熱交換を行いつつ、ゆらぎモードによる送風を行うようにしてもよい。言い換えると、制御部５は室内熱交換器２５や室外部３を動作させて、冷房、除湿、暖房などを行わせつつ、室内ファンモーター７ｍを制御して、１／ｆゆらぎに基づき室内ファン７の回転数を変化させてもよい。
【００６１】
そして、制御部５はゆらぎモードでの室内ファン７の基準回転数Ｎ１を取得、設定する（♯２）。例えば、記憶部６に基準回転数Ｎ１を示すデータが格納されており、制御部５のＣＰＵ５１は基準回転数Ｎ１を示すデータを読み出す。
【００６２】
基準回転数Ｎ１は第１送風パターンＰ１について予め定められた第１上限値に基本パターンＰ０の最大値を、第１下限値に基本パターンＰ０の最小値を対応させて、基本パターンＰ０に対応させて、第１上限値と第１下限値の間で室内ファン７の回転数を周期的に変化させるときの室内ファン７の回転数の振幅の中央値（第１上限値と第１下限値の和の１／２）とすることができる。
【００６３】
次に、制御部５はゆらぎモードの開始から予め定められた安定時間までの間、室内ファンモーター７ｍを制御して、室内ファン７を予め定められた一定回転数で回転させる（♯３）。これにより、ゆらぎモードになる前に室内ファン７が停止していたとしても、室内ファン７を一定の回転数で回転する安定した状態とすることができる。ここで、一定回転数は基準回転数Ｎ１としてもよい。
【００６４】
ゆらぎモードの開始から予め定められた安定時間が経過すると、第１送風パターンＰ１での送風が開始される（♯４）。第１送風パターンＰ１での送風が開始されると、制御部５（ＣＰＵ５１）はゆらぎデータＤ０に基づき、第１送風パターンＰ１の１周期中の現在のステップの室内ファン７の回転数を求めるため、基準回転数Ｎ１に対する現在のステップでの補正値を求める（♯５）。補正値は１／ｆゆらぎの基本パターンＰ０に応じた現在のステップの理想的な室内ファン７の回転数と基準回転数Ｎ１との差である。
【００６５】
上述のように、ゆらぎデータＤ０のデータテーブルＤ１には、１／ｆゆらぎの基本パターンＰ０に対応した１周期内の各ステップでの送風の強度を示す値が格納されている。そこで、制御部５は現在のステップでの送風の強度を示す値を基準回転数Ｎ１に対応する強度の値で除して比率を求める。そして、制御部５は求めた比率から１（基準回転数Ｎ１に対応する値）を引いて得られた値に基準回転数Ｎ１を乗ずることで補正値を求める。言い換えると、制御部５はゆらぎデータＤ０に基づき、第１送風パターンＰ１のときの現ステップでの理想的な回転数と、基準回転数Ｎ１との差を補正値として求め、基準回転数Ｎ１と補正値を加算して、第１送風パターンＰ１の各ステップでの室内ファン７の回転数を求める。尚、補正値の求め方は上記の例に限らず、他の方法により補正値を求めてもよい。
【００６６】
そして、制御部５は基準回転数Ｎ１と補正値を加算して第１送風パターンＰ１の１周期中の現在のステップでの室内ファン７の回転数（現在のステップでの室内ファン７の理想的な回転数）を求める。このように、本実施形態では、１／ｆゆらぎの基本パターンＰ０に基づく室内ファン７の回転数のゆらぎを、基準回転数Ｎ１に対する補正と扱う。尚、制御部５は求めた現在のステップでの室内ファン７の回転数に、更に他の種類の風量補正を行って現在のステップでの室内ファン７の回転数を調整してもよい（♯６）。次に、制御部５は室内ファンモーター７ｍを制御して、室内ファン７の回転数を♯６で求めた回転数とする（♯７）。
【００６７】
尚、第１送風パターンＰ１の１周期中の現在のステップでの理想的な室内ファン７の回転数の求め方は上記の例に限られず、他の演算方法により１／ｆゆらぎの基本パターンＰ０に応じた現在のステップの理想的な室内ファン７の回転数を求めてもよい。
【００６８】
そして、制御部５は第１送風パターンＰ１の１周期中の現在のステップが完了し、次のステップに移行したかの確認を続ける（♯８、♯８のＮｏ→♯８）。例えば、制御部５内のＣＰＵ５１や計時部５２が時間を計時する。本実施形態では、送風パターンの１周期は３６０に分割され、１ステップあたりの時間は５０ｍｓ〜数百ｍｓ程度、より好ましくは、１００ｍｓ程度とされる。制御部５のＣＰＵ５１や計時部５２は計時を行い、現在のステップの開始から１ステップ分の時間が計時されると、制御部５は次のステップに移行したと認識する。
【００６９】
次のステップに移行すると（♯８のＹｅｓ）、制御部５は第１送風パターンＰ１の１周期中の最後のステップが終わり、次のパターン（第２送風パターンＰ２）での送風を開始すべきか否かを確認する（♯９）。
【００７０】
又、第１送風パターンＰ１の最後のステップが終わったので無ければ（♯９のＮｏ）、フローは♯５に戻る。一方、第１送風パターンＰ１の最後のステップが終わったのであれば、第２送風パターンＰ２での送風が開始される（♯１０）。
【００７１】
第２送風パターンＰ２での送風が開始されると、制御部５（ＣＰＵ５１）はゆらぎデータＤ０に基づき、第２送風パターンＰ２の１周期中の現在のステップの室内ファン７の回転数を求めるため、基準回転数Ｎ１に対する現在のステップでの補正値を求める（♯１１）。求め方は第１送風パターンＰ１の時と同様でよい。
【００７２】
そして、第２送風パターンのとき、制御部５はゆらぎデータＤ０に基づき、現在のステップに対応する第１送風パターンＰ１でのステップの補正値を、第１送風パターンＰ１での回転数の振幅に対する第２送風パターンＰ２での回転数の振幅の比率に応じて調整し、調整した補正値と基準回転数Ｎ１を加算して第２送風パターンＰ２での各ステップでの室内ファン７の回転数を求める。言い換えると、第１送風パターンＰ１としたならば求められる現在のステップの補正値を小さく調整した値を第２パターンＰ２での補正値として用いる。
【００７３】
このように、ステップの順番（ステップ数）が同じならば、第１送風パターンＰ１と第２送風パターンＰ２で調整前の補正値は同じであり、単一の基本パターンＰ０のデータのみで各送風パターンの補正値を求めることができる。そして、同じステップ数のとき第１送風パターンＰ１と第２送風パターンＰ２では、基準回転数Ｎ１に加算する値が異なる。
【００７４】
例えば、第２送風パターンＰ２での回転数の振幅を第１送風パターンＰ１での回転数の振幅の１／２とするならば、制御部５は現在のステップに対応する第１送風パターンＰ１でのステップの補正値として求められた値を２で除して（０．５を乗じて）調整した補正値を基準回転数Ｎ１に加算して、第２送風パターンＰ２の１周期中の現在のステップでの室内ファン７の回転数（現在のステップでの室内ファン７の理想的な回転数）を求める（♯１２）。又、第１送風パターンＰ１と同様に、制御部５は求めた現在のステップでの室内ファン７の回転数に、更に他の種類の風量補正を行って現在のステップでの室内ファン７の回転数を調整してもよい（♯１２）。
【００７５】
補正値を調整する（例えば、１／２とする）ので、第２送風パターンＰ２での室内ファン７の回転数の振幅（第２上限値と第２下限値の幅）は第１送風パターンＰ１の回転数の振幅（第１上限値と第１下限値の幅）よりも小さくなる（具体的に、本説明では補正値を１／２として、振幅を１／２とする）。この点を、図１０を用いて説明する。
【００７６】
図１０では、実線で第１送風パターンＰ１での室内ファン７の回転数の推移を示し、破線で第２送風パターンＰ２での室内ファン７の回転数の推移を示す。
【００７７】
そして、図１０に示すように、制御部５は第１送風パターンＰ１のとき、予め定められたファンの回転数の第１上限値と第１下限値の範囲で基本パターンＰ０に基づきファンの回転数を変化させる。そのため、制御部５は補正値を求め、第１送風パターンＰ１での各ステップでのファンの回転数を求める。又、制御部５は第２送風パターンＰ２のとき、第１送風パターンＰ１よりもファンの回転数の振幅を小さくした第２上限値と第２下限値間の範囲で基本パターンＰ０に基づきファンの回転数を変化させる。そのため、制御部５は第１送風パターンＰ１のときの現ステップの補正値（第２送風パターンでの現ステップに対応する第１送風パターンでの補正値）を求め、補正値を調整し、第２送風パターンＰ２での各ステップでのファンの回転数を求める。
【００７８】
そして、図１０に示すように、第１送風パターンＰ１と第２送風パターンＰ２はいずれも基本パターンＰ０に基づくので、第２送風パターンＰ２は第１送風パターンＰ１（基本パターンＰ０）を振幅方向（回転数の大小方向）で縮小したパターンとなる。尚、本実施形態では、第１送風パターンＰ１と第２送風パターンＰ２の基準回転数Ｎ１は一致している。
【００７９】
そして、制御部５は室内ファンモーター７ｍを制御して、室内ファン７の回転数を♯１１２で求めた回転数とする（♯１３）。
【００８０】
続いて、制御部５は第２送風パターンＰ２の１周期中の現在のステップが完了し、次のステップに移行したかの確認を続ける（♯１４、♯１４のＮｏ→♯１１４）。例えば、制御部５内のＣＰＵ５１や計時部５２が時間を計時する。本実施形態では、第２送風パターンＰ２でも第１送風パターンＰ１と同様に、送風パターンの１周期は３６０に分割され、１ステップあたりの時間は５０ｍｓ〜数百ｍｓ程度、より好ましくは、１００ｍｓ程度とされる。制御部５のＣＰＵ５１や計時部５２は計時を行い、現在のステップの開始から１ステップ分の時間が計時されると、制御部５は次のステップに移行したと認識する。
【００８１】
次のステップに移行すると（♯１４のＹｅｓ）、制御部５は第２送風パターンＰ２の１周期中の最後のステップが終わり、次のパターン（第１送風パターンＰ１）での送風を開始すべきか否かを確認する（♯１５）。
【００８２】
又、第１送風パターンＰ１の最後のステップが終わったので無ければ（♯１５のＮｏ）、フローは♯１１に戻る。一方、第１送風パターンＰ１の最後のステップが終わったのであれば、第１送風パターンＰ１での送風が開始される（♯４に戻る）。
【００８３】
そして、使用者によるゆらぎモードでの送風停止の入力や、空気調和機１の電源ＯＦＦの入力など、ゆらぎモードでの送風を停止するときまで、フローは続けられる。
【００８４】
（ゆらぎモードに関する入力受付部４での設定）
次に、図３を用いて、第１送風パターンＰ１や第２送風パターンＰ２の１周期内の１ステップあたりの時間の設定について説明する。
【００８５】
本実施形態の空気調和機１では、入力受付部４は第１送風パターンＰ１及び第２送風パターンＰ２のゆらぎモードでの１周期内の１ステップあたりの時間を設定する入力を受け付け可能となっている。１周期内の１ステップあたりの時間を設定する手順は様々とすることができる。例えば、リズム風ボタンＢ６の長押し等の一定の入力がなされると、制御部５は空気調和機１を１ステップあたりの時間を設定する状態とする。例えば、リモートコントロール装置４１内のカバー４１１内のいずれかのボタンや、温度設定ボタンＢ７や湿度設定ボタンＢ８に対する操作を１ステップあたりの時間を変更する入力として受け付ける。又、リモートコントロール装置４１に１周期内の１ステップあたりの時間を設定するための専用のボタンを設けてもよい。
【００８６】
そして、ゆらぎモードで運転を行うとき、制御部５は室内ファンモーター７ｍを制御して、設定された１ステップあたりの時間ごとに室内ファン７の回転数を変化させて送風を行わせる。
【００８７】
又、本実施形態の入力受付部４は空気調和機１を運転させる時間や時間帯を設定する入力を受け付ける。制御部５は入力受付部４で設定された時間や時間帯に室内部２からの送風を行わせる。尚、計時部５２が時間（現在日時）を計時する。又、計時部５２とは別にＲＴＣ（リアル・タイム・クロック）の回路を設けてもよい。
【００８８】
そして、図４に示すように、空気調和機１を運転する時間や時間帯を設定するための各種のボタンがリモートコントロール装置４１内のカバー４１１内に配される。例えば、運転を開始する時間を設定するための入タイマーボタンＢ９、運転を停止する時間を設定するための切タイマーボタンＢ１０、設定する時間を進めるためのすすむボタンＢ１１（設定する時間は表示部２２に表示される）、設定する時間を戻すための戻るボタンＢ１２（設定する時間は表示部２２に表示される）、毎日や毎週、一定の時間帯で空気調和機１を運転させる予約設定を行うための予約ボタンＢ１３Ｂなどが設けられる。
【００８９】
ここで、ゆらぎモードでは室内ファン７の回転数を変化させるので、室内ファン７や室内ファンモーター７ｍの駆動音の音量が変化する。一方、早朝の時間帯（例えば、午前４時〜午前８時ぐらいまでの間）、ゆらぎモードでは室内ファン７や室内ファンモーター７ｍの駆動音の音量が変化し、使用者を刺激して起こしてしまう可能性がある。
【００９０】
そこで、制御部５は予め定められた早朝時間帯（例えば、午前４時〜午前８時ぐらいまでの間、入力受付部４で設定可能とすればよい）のとき、ゆらぎモードの運転が設定されていても、室内ファンモーター７ｍを動作させず、室内ファン７に送風を行わせない。これにより、使用者の睡眠を妨げることを避けることができる。
【００９１】
このようにして、本実施形態の空気調和機１はモーターにより回転し、吹出口２１から空気を送出する室内ファン７（ファン）と、１／ｆゆらぎで室内ファン７の送風量がゆらぐように室内ファン７の回転数のゆらぎの基本パターンＰ０を示すゆらぎデータＤ０を記憶する記憶部６と、予め定められた室内ファン７の回転数の第１上限値と第１下限値の範囲で基本パターンＰ０に基づき室内ファン７の回転数を変化させる第１送風パターンＰ１での１周期内の各ステップでの室内ファン７の回転数を求めるとともに、第１送風パターンＰ１よりも室内ファン７の回転数の振幅を小さくした第２上限値と第２下限値間の範囲で基本パターンＰ０に基づき室内ファン７の回転数を変化させる第２送風パターンＰ２での１周期内の各ステップでの室内ファン７の回転数を求める制御部５（演算部）と、ゆらぎモードで運転することを受け付ける入力受付部４と、を含み、ゆらぎモードで運転するとき、室内ファン７は制御部５が求めた回転数に基づき回転数を変化させ、制御部５は第１送風パターンＰ１と第１送風パターンＰ１の送風の間に第２送風パターンＰ２が入るように各ステップでの室内ファン７の回転数を求める。
【００９２】
これにより、１つの基本パターンＰ０のデータを記憶するだけで１／ｆゆらぎに基づいて送風量（室内ファン７（ファン）の回転数）を変化させることができる。従って、１／ｆゆらぎに基づき送風量を変化させるうえで大容量のメモリーは必要無い。又、１／ｆゆらぎに基づき室内ファン７の回転数を変化させるには、基本パターンＰ０のデータに基づき、回転数の上限と下限の範囲で基本パターンＰ０に応じて（基本パターンＰ０内の各ステップでの強度の相対的な比率に応じて）第１送風パターンＰ１と第２送風パターンＰ２の各ステップでの室内ファン７の回転数を求めればすむ。従って、１／ｆゆらぎに基づき送風量（室内ファン７の回転数）を変化させるうえで、計測結果を処理する演算や積分演算などの過剰な演算負荷は生じない。又、第２送風パターンＰ２の送風量の変動幅（上限値と下限値の振幅）は第１送風パターンＰ１よりも抑えられているので、第１送風パターンＰ１と第２送風パターンＰ２の間での切り替わり前後での送風量の変化が抑えられる。従って、急すぎる送風量の変化が無くなり、室内ファン７（室内ファン７を回転させる室内ファンモーター７ｍ）の回転数を送風量変化にあわせて変化させやすくなり、不自然な送風になることや、実際の送風量と理想の送風量との間な大きなずれが生ずることや、騒音が大きくなることがなくなる。
【００９３】
また、ゆらぎモードで送風を行うときの室内ファン７（ファン）の回転数の基準となる基準回転数Ｎ１が予め定められ、記憶部６は１／ｆゆらぎの基本パターンＰ０に対応した１周期内の各ステップでの送風の強度を示す値を格納したデータテーブルをゆらぎデータＤ０として記憶し、演算部（制御部５）は第１送風パターンＰ１で送風を行うとき、ゆらぎデータＤ０に基づき、現ステップでの理想的な回転数と基準回転数Ｎ１との差を補正値として求め、基準回転数Ｎ１と補正値を加算して各ステップでの室内ファン７の回転数を求め、第２送風パターンＰ２で送風を行うとき、現在のステップに対応する（現在のステップと同じ）第１送風パターンＰ１でのステップの補正値を、第１送風パターンＰ１での回転数の振幅に対する第２送風パターンＰ２での回転数の振幅の比率に応じて調整し、調整した補正値と基準回転数Ｎ１を加算して第２送風パターンＰ２での各ステップでの室内ファン７の回転数を求める。これにより、第１送風パターンＰ１と同様の演算に簡易な演算を追加するだけで第２送風パターンＰ２の各ステップでの室内ファン７の回転数を求めることができる。又、第１送風パターンＰ１と第２送風パターンＰ２での送風を行ううえで、基本パターンＰ０を示すデータは１つで済み、ゆらぎデータＤ０の容量は抑えられる。
【００９４】
また、室内ファン７（ファン）の回転開始や室内ファン７の回転に関する設定が切り替わってから、直ちに、１／ｆゆらぎに基づき室内ファン７の回転数を変化させると、室内ファン７の回転数が不安定となることや、室内ファン７の回転数が理想的な回転数からのずれが大きくなる場合がある。そこで、ゆらぎモードの開始から予め定められた安定時間までの間、室内ファン７は予め定められた一定回転数となるように回転し、安定時間の経過後、第１送風パターンＰ１と第２送風パターンＰ２での送風を行う。これにより、１／ｆゆらぎに基づき送風量を変化させた当初から、確実に送風量（室内ファン７の回転数）を理想的に変化させることができる。
【００９５】
また、ゆらぎモードで運転するとき、室内ファン７（ファン）の回転数の上限値は予め定められた騒音レベルを下回るように定められる。これにより、ゆらぎモードでの運転時、室内ファン７の回転数（モーターの回転数）を常時変化させても、騒音を一定レベル以下に抑えることができる。
【００９６】
また、入力受付部４は第１送風パターンＰ１及び第２送風パターンＰ２のゆらぎモードでの１周期内の１ステップあたりの時間を設定する入力を受け付け、ゆらぎモードで運転を行うとき、設定された１ステップあたりの時間ごとに回転数を変化させて送風を行う。これにより、使用者は風量の変化のリズムを設定できる。従って、１／ｆゆらぎに基づく送風の変化のリズムを使用者の好みに合わせることができ、空気調和機１の使いやすさや快適さを向上させることができる。
【００９７】
また、基本パターンＰ０は振幅が周波数に反比例する複数の正弦波を合成した波形、又は、室内ファン７（ファン）の回転数が周波数に反比例する複数の余弦波を合成した波形である。これにより、自然の風に近いように、送風を行うことができる。
【００９８】
また、吹出口２１から吹き出される空気の熱交換を行うための室内熱交換器２５（熱交換器）や室外熱交換器３４（熱交換器）を含み、ゆらぎモードで運転するとき、室内熱交換器２５や室外熱交換器３４は熱交換を行わない。これにより、空気調和機１での消費電力を抑えることができる。又、扇風機並の消費電力で１／ｆゆらぎに基づき、扇風機よりも自然に近い送風を使用者に向けて行うことができる。
【００９９】
また、ゆらぎモードでは、送風量（室内ファン７の回転数）を周期的に変化させるので、室内ファン７（ファン）や室内ファン７を回転させる室内ファンモーター７ｍ（モーター）などの動作音が変化する。そこで、予め定められた早朝時間帯のとき、室内ファン７はゆらぎモードでは送風を行わないが、早朝では、ゆらぎモードで運転しないので、空気調和機１の動作音の変化によって使用者の眠りを妨げることがない。
【０１００】
（第２の実施形態）
次に、図１１を用いて、本発明の第２の実施形態に係る空気調和機１を説明する。図１１は第２の実施形態でのゆらぎモードでの送風の強度レベルに応じた室内ファン７の回転数のゆらぎの一例を示す説明図である。
【０１０１】
第２の実施形態の空気調和機１はゆらぎモードのときの送風の強度を切り替えることができる点で第１の実施形態と異なるが、ハードウェア自体やゆらぎモードでの送風の処理の流れは同様でよい。そこで、第１の実施形態と共通する部分は、援用するものとして、特に説明する場合を除き、説明、図示を省略する。
【０１０２】
通常、空気調和機１では、送風の強度（風速、送風量の強さ）を設定できるようになっている。例えば、図４に示すように、空気調和機１のリモートコントロール装置４１内のカバー４１１内に風量キーＢ１４が設けられ、風量キーＢ１４を押すことで送風の強度を切り替えることができる。例えば、本実施形態の空気調和機１では、風量キーＢ１４をおすことで、送風の強度レベルを微、弱、強の中から選ぶことができる。
【０１０３】
そして、本実施形態ではリモートコントロール装置４１などの入力受付部４は複数段階で用意されたゆらぎモードでの送風の強度レベル（微、弱、強）のなかから１つを選択する入力を受け付ける。言い換えると、ゆらぎモードでも送風の強度を設定できる。
【０１０４】
ここで、使用者が送風の強度レベル「強」を設定するということは、使用者は室内ファン７による送風量が多い状態での運転を望んでいることである。言い換えると、使用者はある程度強いレベルの送風（一定以上の送風量）を求めている。
【０１０５】
しかし、ゆらぎモードでは１／ｆゆらぎに基づき、室内ファン７の回転数を変化（増減）させる。そして、回転数の下限値が小さいと、送風が殆どない、又は、弱すぎると使用者に不快感を抱かせる可能性がある。
【０１０６】
そこで、制御部５は送風の強度レベルが高いほど、第１送風パターンＰ１でのファン回転数の下限値が大きくなるように、各ステップでのファンの回転数を求める。
【０１０７】
これにより、送風の強度レベルが高くなるほど、ゆらぎモードでのファンの回転数の下限値の底上げが行われる。そのため、送風の強度レベルが高くなるほど、最も回転数が下がったときの室内ファン７の回転数は上積みされ、一定以上の送風量を確保することができる。
【０１０８】
次に、図１１を用いて、ゆらぎモードでの送風の強度レベルに応じた室内ファン７の回転数の変化について説明する。
【０１０９】
まず、図１１では、強度レベル「強」のときの第１送風パターンＰ１での１周期における室内ファン７の回転数変化の推移を実線で示し、強度レベル「弱」のときの第１送風パターンＰ１での１周期における室内ファン７の回転数変化の推移を破線で示し、強度レベル「微」のときの第１送風パターンＰ１での１周期における室内ファン７の回転数変化の推移を２点鎖線で示している。又、図１１の例では、室内ファン７の回転数の上限値と下限値の振幅はいずれの強度レベルでも同じとしている。
【０１１０】
そして、制御部５は送風の強度レベルが高いほど、第１送風パターンＰ１での室内ファン７の回転数の下限値が大きくなるように、各ステップでの室内ファン７の回転数を求める。これにより、ゆらぎモードでは、送風の強度レベル「強」が設定された場合でも、室内ファン７の回転数の下限値は底上げされ、一定以上の送風量が確保される。
【０１１１】
尚、図１１では、第１送風パターンＰ１の各強度レベルでの１周期における第１送風パターンＰ０での室内ファン７の回転数変化の推移を示しているが、各強度レベルで第１送風パターンＰ１と第１送風パターンＰ１での送風の間に、第２送風パターンＰ２での送風が入れられる点は第１の実施形態と同様である。
【０１１２】
ここで、図１１に示すように、各強度レベルでの室内ファン７の回転数の上限値と下限値の振幅はいずれの強度レベルでも同じとするのであれば、強度レベルに応じて（強度レベルが高いほど基準回転数Ｎ１を上げるようにして）、基準回転数Ｎ１を変えるだけで、各強度レベルでの演算の手法はほぼ同じである。又、各強度レベルでの基準回転数Ｎ１を示すデータを記憶部６に記憶させておいてもよい。
【０１１３】
尚、第１送風パターンＰ１で各強度レベルでの室内ファン７の回転数の上限値と下限値の振幅は変えてもよい。この場合、強度レベルが高いほど基準回転数Ｎ１を上げるようにして、レベルごとに基準回転数Ｎ１を変えてもよいし、強度レベルが高いほど室内ファン７の回転数の上限値と下限値の振幅を大きくしてもよいし、小さくしてもよい。この場合、制御部５は求めた補正値に対し、振幅を調整するために係数を乗じて補正した補正値と基準回転数Ｎ１を加える演算を行うことで、強度レベルに応じて振幅を変えることができる。
【０１１４】
但し、各強度レベルでの室内ファン７の回転数の上限値と下限値の振幅は変えるときでも、制御部５は室内ファン７の回転数の上限値は予め定められた騒音レベルを下回る騒音レベル以下となるように定める。又、制御部５は送風の強度レベルが高いほど、第１送風パターンＰ１での室内ファン７の回転数の下限値が大きくなるように、各ステップでの室内ファン７の回転数を求める。
【０１１５】
このようにして、第２の実施形態では、ゆらぎモードのときの送風の強度を切り替え入力を入力受付部４が受け付ける。しかし、高い強度レベル（例えば、強、弱、微）での送風を設定しているとき、使用者はある程度大きな風量を求めている場合が多い。そのため、１／ｆゆらぎに基づき室内ファン７（ファン）の回転数が下がったとき、送風量が小さくなり、送風量が少ないと使用者に感じさせてしまう可能性がある。そこで、入力受付部４は複数段階で用意されたゆらぎモードでの送風の強度レベルのなかから１つを選択する入力を受け付け、制御部５（演算部）は送風の強度レベルが高いほど、第１送風パターンＰ１での室内ファン７の回転数の下限値が大きくなるように、各ステップでの室内ファン７の回転数を求める。これにより、送風の強度レベルが高いときには、室内ファン７の回転数が下がったときでも一定の送風量が確保され、送風量が少ないと使用者に感じさせないようにすることができる。
【０１１６】
次に、他の実施形態を説明する。上記の実施形態では、１／ｆゆらぎの基本パターンＰ０に対応した１周期内の各ステップでの送風の強度を示す値を格納したデータテーブルＤ１について説明した。そして、データテーブルＤ１は１周期分のそれぞれのステップ（３６０ステップ分）の送風の強度を示す値を格納している例を説明した。しかし、図４、図５などに示すように、正弦波（余弦波）を合成して得られた基本パターンＰ０は半周期ごとに見ると、左右対称（点対称）である。そこで、データテーブルＤ１に基本パターンＰ０の半周期分の各ステップの送風の強度を示す値を格納し、１番目ステップから最後のステップまで到ると、値の符号を反転させつつ最後のステップから１番目のステップに向けて戻り、１番目ステップまで到ると、値の符号を元に戻し１番目のステップから最後のステップに向けて戻るというように、ステップのカウントアップとステップのカウントダウンを繰り返し、制御部５（演算部）は室内ファン７の各ステップでの回転数を求めてもよい。
【０１１７】
以上、本発明の実施形態につき説明したが、本発明の範囲はこれに限定されるものではなく、発明の主旨を逸脱しない範囲で種々の変更を加えて実施することができる。
【産業上の利用可能性】
【０１１８】
本発明は、空気調和機に利用することができる。
【符号の説明】
【０１１９】
１      空気調和機                      ２１    吹出口
２５    室内熱交換器（熱交換器）        ３４    室外熱交換器（熱交換器）
４      入力受付部                      ５      制御部（演算部）
６      記憶部                          ７      室内ファン（ファン）
７ｍ    室内ファンモーター（モーター）  Ｄ０    ゆらぎデータ
Ｄ１    データテーブル                  Ｎ１    基準回転数
Ｐ０    基本パターン                    Ｐ１    第１送風パターン
Ｐ２    第２送風パターン
【図１】
2014066485.tif 000004
【図２】
2014066485.tif 000005
【図３】
2014066485.tif 000006
【図４】
2014066485.tif 000007
【図５】
2014066485.tif 000008
【図６】
2014066485.tif 000009
【図７】
2014066485.tif 000010
【図８】
2014066485.tif 000011
【図９】
2014066485.tif 000012
【図１０】
2014066485.tif 000013
【図１１】
2014066485.tif 000014